(57)【特許請求の範囲】
【請求項１】
互いに平行に並べられる複数の電線と、
これら複数の電線と平行に設けられ、かつ、これら複数の電線が並ぶ方向と前記電線の長手方向との双方に対して交差する交差方向に前記電線に重ねられる縦糸と、
前記複数の電線及び縦糸に交差しかつこれら複数の電線及び縦糸に対して一定の規則により浮き沈みするように交錯される長尺の横糸と、を備え、
前記横糸が、互いに重なる前記電線と前記縦糸とを前記交差方向に固定するように、前記複数の電線及び縦糸に対して交錯されていることを特徴とするフラットケーブル。
【請求項２】
前記縦糸と、前記横糸とのうち、少なくともいずれか一方が、当該縦糸または横糸の長手方向に連続した樹脂から構成されていることを特徴とする請求項１に記載のフラットケーブル。
【請求項３】
金属からなり、かつ、前記複数の電線と平行に設けられる少なくとも１本の金属棒を備え、
前記横糸が、前記金属棒に対して交錯されていることを特徴とする請求項１または請求項２に記載のフラットケーブル。
【請求項４】
互いに平行に並べられる複数の電線を有したフラットケーブルと、
前記フラットケーブルの端末に取り付けられるコネクタと、を備えたワイヤハーネスにおいて、
前記フラットケーブルとして、請求項１乃至請求項３のうちいずれか一項に記載のフラットケーブルを備えたことを特徴とするワイヤハーネス。
【発明の詳細な説明】
【技術分野】
【０００１】
本発明は、各種の電気機械に配策される複数の電線を有したフラットケーブル及び当該フラットケーブルを備えたワイヤハーネスに関する。
【背景技術】
【０００２】
移動体としての自動車などの各種電気機械には、多種多様な電子機器同士を電気的に接続するためにワイヤハーネスが配策されている。前述したワイヤハーネスは、自動車の車体と、該車体に開閉自在（回転自在）に取り付けられたバックドアと、に亘って配策されており、このフラットケーブルの導体の端末に取り付けられるコネクタが、バックドアに設けられた各種電子機器に設けられた相手方のコネクタに嵌合して、前述した電気機械に配策されている。こうして、ワイヤハーネスは、前述した電気機械の各種電子機器に必要な信号などを供給している（例えば、特許文献１を参照。）。
【０００３】
前述した特許文献１に示されたワイヤハーネスは、複数の導体を等間隔毎に並列に配置するとともに各導体を絶縁性の合成樹脂からなる被覆部で被覆することで、これら複数の導体を一体化してフラット状に形成したフラットケーブルと、このフラットケーブルの導体の端末に取り付けられるコネクタと、前記フラットケーブルを収容して当該フラットケーブルを保護するコルゲートチューブやプロテクタなどを備えて構成されている。
【先行技術文献】
【特許文献】
【０００４】
【特許文献１】特開２００９−２７８７８５号公報
【発明の概要】
【発明が解決しようとする課題】
【０００５】
前述した従来のワイヤハーネスは、フラットケーブルを収容して当該フラットケーブルを保護するために、コルゲートチューブやプロテクタを備えている。このように、従来のワイヤハーネスは、フラットケーブルとは別体のコルゲートチューブやプロテクタを設けているので、部品点数が増加するとともに、前述したコルゲートチューブやプロテクタがフラットケーブルを収容するために大型化する傾向であった。
【０００６】
そこで、本発明は、上記のような問題点に着目し、部品点数を削減できるとともに、軽量化、及び、小型化を図ることができるフラットケーブル及び当該フラットケーブルを備えたワイヤハーネスを提供することを目的とする。
【課題を解決するための手段】
【０００７】
請求項１に記載の本発明は、互いに平行に並べられる複数の電線と、これら複数の電線と平行に設けられ、かつ、これら複数の電線が並ぶ方向と前記電線の長手方向との双方に対して交差する交差方向に前記電線に重ねられる縦糸と、前記複数の電線及び縦糸に交差しかつこれら複数の電線及び縦糸に対して一定の規則により浮き沈みするように交錯される長尺の横糸と、を備え、前記横糸が、互いに重なる前記電線と前記縦糸とを前記交差方向に固定するように、前記複数の電線及び縦糸に対して交錯されていることを特徴としている。
【０００８】
請求項２に記載の本発明は、請求項１に記載の本発明において、前記縦糸と、前記横糸とのうち、少なくともいずれか一方が、当該縦糸または横糸の長手方向に連続した樹脂から構成されていることを特徴としている。
【０００９】
請求項３に記載の本発明は、請求項１または請求項２に記載の本発明において、金属からなり、かつ、前記複数の電線と平行に設けられる少なくとも１本の金属棒を備え、前記横糸が、前記金属棒に対して交錯されていることを特徴としている。
【００１０】
請求項４に記載の本発明は、互いに平行に配置される複数の電線を有したフラットケーブルと、前記フラットケーブルの端末に取り付けられるコネクタと、を備えたワイヤハーネスにおいて、  前記フラットケーブルとして、請求項１乃至請求項３のうちいずれか一項に記載のフラットケーブルを備えたことを特徴としている。
【発明の効果】
【００１１】
請求項１記載の本発明によれば、互いに平行に並べられる複数の電線と、これら複数の電線と平行に設けられ、かつ、これら複数の電線が並ぶ方向と前記電線の長手方向との双方に対して交差する交差方向に前記電線に重ねられる縦糸と、前記複数の電線及び縦糸に交差しかつこれら複数の電線及び縦糸に対して一定の規則により浮き沈みするように交錯される長尺の横糸と、を備え、前記横糸が、互いに重なる前記電線と前記縦糸とを前記交差方向に固定するように、前記複数の電線及び縦糸に対して交錯されているので、電線の外周に設けられて当該電線を覆う縦糸が、電線への衝撃や振動を吸収することで、該電線を保護することができるとともに、異音が生じることを防止することができる。このために、複数の電線即ちフラットケーブルを、当該フラットケーブルとは別体のコルゲートチューブやプロテクタを用いることなく保護することができる。よって、ワイヤハーネスの部品点数を削減することができるので、フラットケーブル即ち当該フラットケーブルを備えたワイヤハーネスの軽量化、及び、小型化を図ることができる。
【００１２】
また、複数の電線及び縦糸と長尺の横糸とを一定の規則により交錯させて織って形成されているので、横糸で織る電線の外径、本数を、容易に変更することができる。したがって、製造コストを増大することなく、様々な形状の導体を一体にすることができる。
【００１３】
請求項２記載の発明によれば、前記縦糸と、前記横糸とのうち、少なくともいずれか一方が、当該縦糸または横糸の長手方向に連続した樹脂から構成されている、即ち、前記縦糸と、前記横糸とのうち、少なくともいずれか一方が、連続した長い繊維（フィラメント）によって構成されているので、フラットケーブルに作用する引っ張り応力や曲げ応力を支えることとなり、よって、フラットケーブル自体の機械的な強度を向上させることができる。
【００１４】
請求項３に記載の発明によれば、金属からなり、かつ、前記複数の電線と平行に設けられる少なくとも１本の金属棒を備え、前記横糸が、前記金属棒に対して交錯されているので、フラットケーブルに作用する引っ張り応力や曲げ応力を支えることとなり、よって、フラットケーブル自体の機械的な強度を確実に向上させることができる。
【００１５】
請求項４記載の発明によれば、前述したフラットケーブルを備えているので、ワイヤハーネスの軽量化、及び、小型化を図ることができる。
【図面の簡単な説明】
【００１６】
【図１】本発明の一実施の形態に係るワイヤハーネスを示す斜視図である。
【図２】図１に示されたワイヤハーネスのコネクタを分解して示す斜視図である。
【図３】図１に示されたワイヤハーネスのフラットケーブルを示す平面図である。
【図４】図３中のＩ−Ｉ線に沿う断面図である。
【発明を実施するための形態】
【００１７】
本発明の一実施の形態にかかるワイヤハーネス、及び、フラットケーブルを、図１及び図４を参照して説明する。
【００１８】
図１、図２などに示すワイヤハーネス１は、例えば、前記電気機械としての自動車の車体と、該車体に開閉自在（回転自在）に取り付けられたバックドアと、に亘って配策されている。
【００１９】
上記ワイヤハーネス１は、フラットケーブル２と、該フラットケーブル２の端末に取り付けられるコネクタ３と、を備えている。フラットケーブル２の端末に取り付けられるコネクタ３が、前記バックドアに設けられた各種電子機器に設けられた相手方のコネクタに嵌合するなどして、ワイヤハーネス１は、前述した電気機械としての自動車の各種電子機器に電源からの電力や、制御信号を供給している。
【００２０】
上記フラットケーブル２は、図１ないし図４などに示すように、互いに平行に並べられる複数の電線４と、これら複数の電線４と平行に設けられ、かつ、これら複数の電線４が並ぶ方向（矢印Ｘ）と電線４の長手方向（矢印Ｙ）との双方に対して直交（交差）する方向（矢印Ｚ）に電線４に重ねられる縦糸８と、これら複数の電線４と並ぶ位置に設けられた金属棒７と、長尺の横糸９と、を備えている。即ち、複数の電線４及び縦糸８及び金属棒７は、長手方向が、矢印Ｙに沿って配置されている。また、複数の電線４は、互いに間隔をあけて矢印Ｘに沿って並べられている。また、複数の縦糸８は、互いに間隔をあけて矢印Ｘに沿って並べられている。また、複数の電線４と縦糸８とは、矢印Ｚに沿って互いに重ねられた状態で固定されている。また、金属棒７と縦糸８とは、矢印Ｚに沿って互いに重ねられた状態で固定されている。なお、図１などに示す前記矢印Ｙは、複数の電線４、複数の縦糸８、金属棒７、及び、コネクタ３の端子収容室２０の長手方向を示し、前記矢印Ｘは、前記矢印Ｙに対して直交する方向、即ち、複数の電線４が並ぶ方向、及び、コネクタ３の端子収容室２０が並ぶ方向を示し、前記矢印Ｚは、前記矢印Ｙと前記矢印Ｘとの双方に対して直交（交差）する方向、即ち、特許請求項の範囲に示された「交差方向」に相当し、電線４と縦糸８とが互いに重ねられる方向、及び、金属棒７と縦糸８とが互いに重ねられる方向を示している。
【００２１】
上記電線４は、導電性の芯線５と、絶縁性の被覆部６と、を備えている。芯線５は、複数の素線が束ねられて構成されている。この素線は、銅などの金属からなる。被覆部６は、例えば、ポリ塩化ビニルやポリオレフィン系樹脂などの絶縁性の合成樹脂からなり、芯線５を被覆している。また、本実施形態では、複数の電線４は、外径が互いに等しいものが用いられている。
【００２２】
上記縦糸８は、線状に形成されている。縦糸８は、複数設けられている。また、複数の縦糸８は、複数の電線４が並ぶ方向（矢印Ｘ）と平行に並べられている。また、本実施形態においては、複数の縦糸８は、当該縦糸８の長手方向に（切れ目なく）連続した樹脂から構成されている。また、連続した樹脂から構成された縦糸８は、合成樹脂または天然樹脂を紡糸することで得られたものであり、前記紡糸することで得られたものとは、合成樹脂または天然樹脂を溶剤または熱によって水あめ状にして、口金（ノズル）の孔から押し出して固められることで得られた長い繊維（フィラメント）のことをいう。
【００２３】
上記金属棒７は、棒状に形成されている。また、金属棒７は、例えば、アルミニウム、ステンレス鋼、銅、鉄、チタン、シリコンなどの金属からなる。また、金属棒７は、これら複数の電線４と並ぶ位置に設けられており、かつ、これら複数の電線４間に設けられている。また、本実施形態では、金属棒７は、外径が、複数の電線４と等しいものが用いられている。
【００２４】
上記横糸９は、変形自在な線状に形成されている。また、本実施形態においては、複数の横糸９は、当該横糸９の長手方向に（切れ目なく）連続した樹脂から構成されている。また、連続した樹脂から構成された横糸９は、合成樹脂または天然樹脂を紡糸することで得られたものである。このように、本実施形態においては、前記縦糸８及び横糸９の双方が、長手方向に連続した樹脂から構成されている。
【００２５】
また、横糸９は、互いに平行に並べられる複数の電線４と、これら複数の電線４と平行に設けられ、かつ、これら複数の電線４が並ぶ方向（矢印Ｘ）と電線４の長手方向（矢印Ｙ）との双方に対して直交（交差）する方向（矢印Ｚ）に電線４に重ねられる複数の縦糸８と、これら複数の電線４と並ぶ位置に設けられた金属棒７との端末において、図３に示すように、これら複数の縦糸８のうち図３中最も下側の端に位置する縦糸８（以下符号８ａで示す）から、これら複数の縦糸８のうち図３中最も上側の端に位置する縦糸８（以下符号８ｂで示す）に向かって、縦糸８ａ、８、８ｂ及び各電線４及び金属棒７に対して交互に浮き沈みして交錯する交錯部９ａが形成された後、前記縦糸８ｂに重ねられることで平行部９ｂが形成され、縦糸８ｂから前記縦糸８ａに向かって、縦糸８ｂ、８、８ａ及び各電線４及び金属棒７に対して浮き沈みして交錯する第２交錯部９ｃが形成され、前記縦糸８ａに重ねられた第２平行部９ｄが形成された後、交錯部９ａに引っ掛けられて、再度、縦糸８ａに重ねられることで第３平行部９ｅが形成されて、縦糸８ａから縦糸８ｂに向かってから交互に浮き沈みして交錯する交錯部９ａが形成される。また、横糸９は、前述した交錯部９ａと平行部９ｂと第２交錯部９ｃと第２平行部９ｄと第３平行部９ｅと交錯部９ａとが順に繰り返して形成され、かつ、第２平行部９ｄが交錯部９ａとともに第２交錯部９ｃに引っ掛けられて、前述した縦糸８ａ、８、８ｂ及び各電線４及び金属棒７に対して、一定の規則によって交錯されて織られる。
【００２６】
このように、交錯部９ａ、９ｃは、各縦糸８及び各電線４及び金属棒７に対して交互に浮き沈みされることで、一体の規則によって浮き沈みされて配置される。また、互いに隣り合う交錯部９ａ、９ｃは、互いに間隔をあけて設けられ、それぞれの交錯部９ａ、９ｃでは、横糸９は、電線４及び縦糸８及び金属棒７の長手方向に対して直交（交差）している。また、横糸９は、複数の電線４及び複数の縦糸８及び金属棒７に対して前述したように織られることで、互いに平行に並べられた複数の電線４と、これら複数の電線４と並ぶ位置に設けられた金属棒７と、これら複数の電線４及び金属棒７が並ぶ方向（矢印Ｘ）と電線４及び金属棒７の長手方向（矢印Ｙ）との双方に対して直交（交差）する方向（矢印Ｚ）に電線４及び金属棒７に重ねられる縦糸８と、を互いに固定する。
【００２７】
上記コネクタ３は、図２に示すように、フラットケーブル２の導体（即ち、電線４）の端末に接続される複数の雌型の端子金具（以下、単に雌端子と記し、図２には、一本のみ示し、他を省略する）１０と、雌端子１０を収容するコネクタハウジング１１と、を備えている。コネクタ３は、図示しない相手方のコネクタに嵌合する。なお、図示例では、フラットケーブル２の導体（即ち、電線４）の一方の端末に取り付けられたコネクタ３のみを示しているが、本発明では、コネクタ３は、他方の端末などの必要とされる箇所に適宜取り付けられている。
【００２８】
上記雌端子１０は、図２に示すように、導電性の板金からなり、電線接続部１２と、電線接続部１２に連なる電気接触部１３と、を一体に備えている。また、雌端子１０は、電線接続部１２が、フラットケーブル２の導体（即ち、電線４）の端末に取り付けられていて、電線４の端末に取り付けられた電線接続部１２（即ち、雌端子１０）は、後述するコネクタハウジング１１の端子収容室２０に矢印Ｙに沿って挿入することで、コネクタ本体部１８（コネクタハウジング１１）に収容される。
【００２９】
上記電線接続部１２は、平板状の矩形状に形成された底板１４と、前記底板１４の長手方向（矢印Ｙ）の一（先）端部に設けられた被覆かしめ片１６と、前記底板１４の長手方向の他端部に設けられた一対の一対の芯線かしめ片１５と、を一体に備えている。また、電線接続部１２（即ち、雌端子１０）は、電線４に、機械的及び電気的に接続される。また、電線接続部１２（即ち、雌端子１０）の長手方向（矢印Ｙ）と、該電線接続部１２に接続される電線４の長手方向（矢印Ｙ）とは、互いに平行に設けられている。
【００３０】
上記被覆かしめ片１６は、底板１４の幅方向（矢印Ｘ）の両縁部から立設している。また、一対の被覆かしめ片１６は、底板１４から離れた側の縁が底板１４に近付くように曲げられていている。そして、一対の被覆かしめ片１６は、電線４の被覆部６を、底板１４との間に挟んで、電線４をかしめることで、被覆かしめ片１６と、電線４とを機械的に接続する。
【００３１】
上記一対の芯線かしめ片１５は、底板１４の幅方向の両縁部から立設している。また、一対の芯線かしめ片１５は、底板１４から離れた側の縁が底板１４に近付くように曲げられていている。そして、一対の芯線かしめ片１５は、電線４の被覆部６が皮剥ぎされて露出した状態の芯線５を、底板１４との間に挟んで、該芯線５をかしめることで、芯線かしめ片１５と、電線４の芯線５と、を電気的に接続する。
【００３２】
上記電気接触部１３は、図２に示すように、筒状の筒状部１７と、この筒状部１７内に設けられた図示しないばね片と、を一体に備えている。筒状部１７は、底板１４の前記他端部に連なっている。前記ばね片は、筒状部１７内に挿入された相手方の雄端子金具（以下、雄端子とよぶ）のタブを筒状部１７の内面との間に挟みこんで、雌端子１０と雄端子とを電気的に接続する。
【００３３】
上記コネクタハウジング１１は、絶縁性の合成樹脂からなり筒状（箱状）に形成されている。コネクタハウジング１１は、コネクタ本体部１８と、相手方のコネクタ（図示しない）のコネクタハウジングに係止するロックアーム１９と、を備えている。ロックアーム１９は、コネクタ本体部１８の外表面に設けられている。
【００３４】
上記コネクタ本体部１８には、複数の端子収容室２０が設けられている。端子収容室２０は、直線状に延びた空間（孔）である。また、端子収容室２０の長手方向は、前述した矢印Ｙと平行に設けられている。また、端子収容室２０の長手方向の両端部は、コネクタ本体部１８の外表面に開口している。また、複数の端子収容室２０は、互いに平行に設けられていて、これら複数の端子収容室２０は、矢印Ｘに沿って並べられている。
【００３５】
前述したワイヤハーネス１は、以下のように、組み立てられる。まず、複数の電線４を互いに間隔をあけて互いに平行に並べて、複数の縦糸８を、これら複数の電線４と平行に、これら複数の電線４が並ぶ方向（矢印Ｘ）と電線４の長手方向（矢印Ｙ）との双方に対して直交（交差）する方向（矢印Ｚ）に電線４に重ねた後、これら複数の電線４間に、当該複数の電線４と並ぶ位置に金属棒７を位置づけて、複数の縦糸８と、金属棒７とを、前記矢印Ｚに沿って、互いに重ねる。そして、横糸９を前述した交錯部９ａと平行部ｂと第２交錯部９ｃと第２平行部９ｄと第３平行部９ｅと交錯部９ａが順に繰り返して形成されるように、前述した各縦糸８及び各電線４及び金属棒７に対して織る（編む）。こうして、図３、図４に示すように、フラットケーブル２を得る。その後、このフラットケーブル２の各電線４の端末に雌端子１０を取り付け、当該雌端子１０をコネクタハウジング１１の端子収容室２０内に挿入する。こうして、前述したワイヤハーネス１が得られる。こうして構成されたワイヤハーネス１は、コネクタ３が自動車に搭載される電子機器に設けられた相手方のコネクタに嵌合するなどして、自動車に配策される。
【００３６】
上述した実施形態によれば、互いに平行に並べられる複数の電線４と、これら複数の電線４と平行に設けられ、かつ、これら複数の電線４が並ぶ方向（矢印Ｘ）と電線４の長手方向（矢印Ｙ）との双方に対して交差する交差方向（矢印Ｚ）に電線４に重ねられる縦糸８と、複数の電線４及び縦糸８に交差しかつこれら複数の電線４及び縦糸８に対して一定の規則により浮き沈みするように交錯される長尺の横糸９と、を備え、横糸９が、互いに重なる電線４と縦糸８とを交差方向（矢印Ｚ）に固定するように、複数の電線４及び縦糸８に対して交錯されているので、電線４の外周に設けられて当該電線４を覆う縦糸８が、電線４への衝撃や振動を吸収することで、該電線４を保護することができるとともに、異音が生じることを防止することができる。このために、複数の電線４即ちフラットケーブル２を、当該フラットケーブル２とは別体のコルゲートチューブやプロテクタを用いることなく保護することができる。よって、ワイヤハーネス１の部品点数を削減することができるので、フラットケーブル２即ち当該フラットケーブル２を備えたワイヤハーネス１の軽量化、及び、小型化を図ることができる。
【００３７】
また、複数の電線４及び縦糸８と長尺の横糸９とを一定の規則により交錯させて織って形成されているので、横糸９で織る電線４の外径、本数を、容易に変更することができる。したがって、製造コストを増大することなく、様々な形状の導体を一体にすることができる。
【００３８】
また、縦糸８と、横糸９とのうち、少なくともいずれか一方が、当該縦糸８または横糸９の長手方向に連続した樹脂から構成されている、即ち、縦糸８と、横糸９とのうち、少なくともいずれか一方が、連続した長い繊維（フィラメント）によって構成されているので、フラットケーブル２に作用する引っ張り応力や曲げ応力を支えることとなり、よって、フラットケーブル２自体の機械的な強度を向上させることができる。
【００３９】
また、金属からなり、かつ、複数の電線４と平行に設けられる少なくとも１本の金属棒７を備え、横糸９が、金属棒７に対して交錯されているので、フラットケーブル２に作用する引っ張り応力や曲げ応力を支えることとなり、よって、フラットケーブル２自体の機械的な強度を確実に向上させることができる。
【００４０】
また、前述したフラットケーブル２を備えているので、ワイヤハーネス１のワイヤハーネスの軽量化、及び、小型化を図ることができる。
【００４１】
なお、上述した実施形態のフラットケーブル２では、電線４の外径は等しいものが用いられているが、本発明はこれに限ったものではなく、電線４の外径が異なるものが用いられていてもよい。また、上述した実施形態のフラットケーブル２では、電線４と金属棒７との外径は等しいものが用いられているが、本発明はこれに限ったものではなく、電線４と金属棒７との外径は、互いに異なるものが用いられていてもよい。本発明では、複数の電線４及び縦糸８及び金属棒７と長尺の横糸９とを一定の規則により交錯させて織って形成されているので、横糸９で織る電線４、金属棒７の外径、本数を、容易に変更することができる。したがって、製造コストを増大することなく、様々な形状の導体（即ち、電線４）を一体にすることができる。
【００４２】
また、上述した実施形態のフラットケーブル２では、縦糸８と横糸９との双方が、縦糸８または横糸９の長手方向に連続した樹脂から構成されているが、本発明はこれに限ったものではなく、縦糸８のみが、当該縦糸８の長手方向に連続した樹脂から構成されていてもよく、横糸９のみが、当該横糸９の長手方向に連続した樹脂から構成されていてもよい。
【００４３】
また、上述した実施形態のフラットケーブル２では、複数の電線４及び縦糸８は、長手方向が、矢印Ｙに沿って配置されており、互いに間隔をあけて矢印Ｘに沿って並べられており、矢印Ｘの端には、縦糸８ａ、８ｂのみが位置しているが、本発明はこれに限ったものではなく、矢印Ｘの端には、矢印Ｚに沿って互いに重ねられた縦糸８ａ、８ｂ及び電線４が位置していてもよい。
【００４４】
また、上述した実施形態のフラットケーブル２では、横糸９が織る対象として、複数の電線４と並ぶ位置に、複数の電線４間に設けられた１本の金属棒７を示しているが、本発明はこれに限ったものではなく、金属棒７は、電線４と平行に設けられていればよく、金属棒７は、矢印Ｘに沿って複数の縦糸８と並ぶ位置に設けられていてもよい。また、上述した実施形態のフラットケーブル２では、横糸９が織る対象として、１本の金属棒７が設けられているが、本発明はこれに限ったものではなく、複数の金属棒７が設けられていてもよく、これら複数の金属棒７は、複数の電線４が並ぶ方向（矢印Ｘ）と並ぶ位置に、電線４を互いの間に挟む位置に設けられていてもよい。また、上述した実施形態のフラットケーブル２では、横糸９が織る対象として、１本の金属棒７を示しているが、本発明はこれに限ったものではなく、金属棒７は設けられていなくてもよい。
【００４５】
また、前述した実施形態では、ワイヤハーネス１は、電気機械としての自動車の車体と、該車体に回転自在に取り付けられたバックドアと、に亘って配策されているが、本発明はこれに限ったものではなく、本発明のワイヤハーネス１は、前記車体と、該車体に回転自在に取り付けられたスイングドアと、に亘って配策されていてもよく、また、本発明のワイヤハーネス１は、前記車体と、該車体にスライド自在に取り付けられたスライドドアとに亘って配策されてもよく、また、本発明のワイヤハーネス１は、車体の前後方向にスライド自在に取り付けられた社内シート（座席）に配策されていてもよい。
【００４６】
また、前述した実施形態では、自動車に配策されるワイヤハーネス１を示しているが、本発明では、ワイヤハーネス１を自動車に限らず、ポータブルコンピュータや携帯小型端末などの種々の電子機器や電気機械に用いてもよい。
【００４７】
また、本発明では、前述した実施形態に示した織り方に限らず、平織り、綾織り（斜文織り）、朱子織り、その他の織り方などの種々の織り方で、横糸９を複数の電線４及び縦糸８（及び金属棒７）に織ってもよい。さらに、前述した実施形態に示された織り方の場合であっても、交錯部９ａ、９ｃでは、横糸９を複数の電線４及び縦糸８（及び金属棒７）に対して一定の規則として数毎に交互に浮き沈むように織ってもよい。
【００４８】
また、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００４９】
１  ワイヤハーネス
２  フラットケーブル
３  コネクタ
４  電線
７  金属棒
８、８ａ、８ｂ  縦糸
９  横糸
矢印Ｚ  交差方向
【図１】
0005455691.tif 000002
【図２】
0005455691.tif 000003
【図３】
0005455691.tif 000004
【図４】
0005455691.tif 000005